(57)【要約】  【課題】表示手段を縦長で使用する場合又は表示手段を横長で使用する場合においても、収納状態から片手で容易に使用状態にすることができる携帯機器を提供する。  【解決手段】第１の筐体１０と第２の筐体２０とのシルエットが重ねあわされた収納位置である第１の位置と、第２の筐体２０が第１の位置から第１の筐体１０の面内で平行に移動された第２の位置と、第２の筐体２０が第１の位置から第１の筐体１０の面内で９０度回転された第３の位置との間で、第１の筐体１０と第２の筐体２０とが移動可能に連結されており、片手で操作可能である。よって、容易に携帯機器を操作することができる。また、第１の筐体１０と第２の筐体２０との位置関係により必要な操作ボタンが露出され操作可能となるため、操作性を良くすることができる。更に、第１の筐体１０と第２の筐体２０と位置関係で動作モードを変えるため、更に操作性を良くすることができる。【選択図】  図１
2008092176.tif 000002
【特許請求の範囲】
【請求項１】
第１の筐体と、
文字及び／又は画像が表示される表示手段が配設された第２の筐体と、
前記第１の筐体と前記第２の筐体とを連結する連結機構と、
を備えた携帯機器であって、
前記連結機構は、前記第１の筐体と前記第２の筐体とのシルエットが重ねあわされた第１の位置と、前記第２の筐体が前記第１の位置から前記第１の筐体の面内で平行に移動された第２の位置との間、及び前記第１の位置と、前記第２の筐体が前記第１の位置から前記第１の筐体の面内で所定の角度回転移動された第３の位置との間で、前記第１の筐体と前記第２の筐体とを移動可能に連結することを特徴とする携帯機器。
【請求項２】
第１の筐体と、
文字及び／又は画像が表示される表示手段が配設された第２の筐体と、
前記第１の筐体と前記第２の筐体とを連結する連結機構と、
前記携帯機器へ指示を入力する複数の操作部で構成される操作手段と、
を備えた携帯機器であって、
前記連結機構は、前記第１の筐体と前記第２の筐体とのシルエットが重ねあわされた第１の位置と、前記第２の筐体が前記第１の位置から前記第１の筐体の面内で平行に移動された第２の位置との間、及び前記第１の位置と、前記第２の筐体が前記第１の位置から前記第１の筐体の面内で所定の角度回転移動された第３の位置との間で、前記第１の筐体と前記第２の筐体とを移動可能に連結し、
前記操作手段は、前記第２の位置及び前記第３の位置において、それぞれ異なる前記操作部が露出されることで操作可能となるように前記第２の筐体に配設されることを特徴とする携帯機器。
【請求項３】
前記第２の筐体の移動を規制する規制手段を備え、
前記規制手段は、前記第１の位置においては、前記第２の筐体の平行移動及び回転移動を可能とし、前記第２の位置においては、前記第２の筐体の平行移動のみを可能とし、前記第３の位置においては、前記第２の筐体の回転移動のみを可能とするように、前記第２の筐体の動きを規制することを特徴とする請求項１又は２に記載の携帯機器。
【請求項４】
前記第２の筐体を前記第１の位置と、前記第２の位置と、前記第３の位置とでそれぞれ所定の保持力で停止させる停止機構を備え、
前記停止機構は、前記第１の位置において前記第１の筐体と前記第２の筐体とが重ねあわされた部分であって、前記第１の筐体と前記第２の筐体との間に配設されたことを特徴とする請求項１、２又は３に記載の携帯機器。
【請求項５】
前記第１の筐体と前記第２の筐体との位置関係を検出する検出手段と、
前記検出手段で検出された前記第１の筐体と前記第２の筐体との位置関係に基づいて、前記携帯機器の動作モードの切り替え、又は使用可能な動作モードの制限をする制御手段と、
を備えたことを特徴とする請求項１〜４のうちいずれか１に記載の携帯機器。
【請求項６】
被写体を撮影するためのカメラが、前記第１の筐体の前記第２の筐体が連結される面と対向する面に配設されたことを特徴とする請求項１〜５のうちいずれか１に記載の携帯機器。
【請求項７】
前記第２の筐体が前記第２の位置にある場合には被写体が撮影できるように撮影レンズが露出され、前記第２の筐体が前記第３の位置にある場合には前記第１の筐体によって前記撮影レンズが覆われるように、前記表示手段と対向して前記第２の筐体にカメラが配設されたことを特徴とする請求項１〜５のうちいずれか１に記載の携帯機器。
【請求項８】
前記第１の筐体と前記第２の筐体との位置関係を検出する検出手段と、
前記検出手段で検出された前記第１の筐体と前記第２の筐体との位置関係に基づいて、前記携帯機器の動作モードの切り替え、又は使用可能な動作モードの制限をする制御手段と、
を備え、
前記制御手段は、前記携帯機器のカメラモード及びテレビモードを含む全ての動作モードのうち、前記第２の位置ではカメラモードを動作可能にし、前記第３の位置ではテレビモードを動作可能にすることを特徴とする請求項７に記載の携帯機器。
【請求項９】
前記第２の筐体が前記第１の位置にある場合には前記第１の筐体によって撮影レンズが覆われ、前記第２の筐体が前記第２の位置及び前記第３の位置にある場合には被写体が撮影できるように前記撮影レンズが露出されるように、前記表示手段と対向して前記第２の筐体にカメラが配設されたことを特徴とする請求項１〜５のうちいずれか１に記載の携帯機器。
【請求項１０】
前記第１の筐体と前記第２の筐体との位置関係を検出する検出手段を備え、
前記カメラは、前記検出手段で検出された前記第１の筐体と前記第２の筐体との位置関係に基づいて、撮像された画像が縦撮りの画像であるか又は横撮りの画像であるかを示す撮影姿勢情報を、前記撮像された画像に添付することを特徴とする請求項９に記載の携帯機器。
【請求項１１】
前記カメラによって取得された被写体像を前記表示手段へライブ画像として出力して表示させる被写体像出力手段を備え、
前記被写体像出力手段は、前記第１の筐体と前記第２の筐体との位置関係を検出する検出手段の検出結果に基づいて、出力する被写体像の方向を変えることを特徴とする請求項６に記載の携帯機器。
【請求項１２】
前記表示手段に画像を表示させる再生手段を備え、
前記再生手段は、前記検出手段によって検出された前記第１の筐体と前記第２の筐体との位置関係と、再生する画像に添付された撮像された画像が縦撮りの画像であるか又は横撮りの画像であるかを示す撮影姿勢情報とに基づいて、前記表示手段の画面上で前記画像が正立するように表示させることを特徴とする請求項１０に記載の携帯機器。
【発明の詳細な説明】
【技術分野】
【０００１】
本発明は携帯機器に係り、特に折り畳みが可能な携帯機器に関する。
【背景技術】
【０００２】
携帯機器としては、表示手段を有する筐体と操作部を有する筐体との２つの筐体がヒンジを介して開閉可能に連結された折り畳み型のものが知られている。このような折り畳み型の携帯機器は、表示手段と操作部とがお互いに向かい合うように折り畳んで閉じた状態とすることによって、持ち運びに便利なコンパクトな状態にすることができるようになっている。
【０００３】
このような折り畳み型の携帯機器において、テレビ受信機能を付けたものがある。一般的には、折り畳み型の携帯機器の表示手段は縦長の形状をしているが、テレビ画像等横長で表示される情報に対して視認性をあげるために、表示手段を横長にしたい場合がある。
【０００４】
これに対応するために、特許文献１には、表示手段筐体と操作部筐体とを２軸ヒンジを用いて結合することにより、操作部筐体に対して表示手段筐体を長手方向及び短手方向の２通りの方向に開くことができる携帯機器が提案されている。
【０００５】
また、特許文献２には、本体部とフリップ部とを３個の回転軸を有するヒンジを用いて互いに回動可能に結合することにより、本体部とフリップ部とを多様な形態に変形可能な携帯機器が提案されている。
【特許文献１】特開２００５―３８２１７号公報
【特許文献２】特開２００５―１１５５３６号公報
【発明の開示】
【発明が解決しようとする課題】
【０００６】
しかしながら、上記特許文献に記載された携帯機器では以下のような欠点があった。すなわち、特許文献１、２に記載された携帯機器では、２個の筐体が折り畳まれて収納された状態から表示手段を縦長で使用する状態又は表示手段を横長で使用する状態にする場合に、両手を用いて複数の操作が必要であり、操作が面倒であるという問題がある。
【０００７】
また、特許文献１、２に記載された携帯機器では、複数の軸を有するヒンジという高価で複雑な機構を用いる必要があるという問題がある。
【０００８】
また、特許文献１に記載された携帯機器では、表示手段を横長にする場合には、表示手段を横向きにするのと同時に操作部も横向きになってしまうため、操作しづらいという問題がある。
【０００９】
本発明はこのような事情に鑑みてなされたもので、表示手段を縦長で使用する場合又は表示手段を横長で使用する場合においても、収納状態から片手で容易に使用状態にすることができる携帯機器を提供することを目的とする。
【課題を解決するための手段】
【００１０】
請求項１に記載の携帯機器は、前記目的を達成するために、第１の筐体と、文字及び／又は画像が表示される表示手段が配設された第２の筐体と、前記第１の筐体と前記第２の筐体とを連結する連結機構と、を備えた携帯機器であって、前記連結機構は、前記第１の筐体と前記第２の筐体とのシルエットが重ねあわされた第１の位置と、前記第２の筐体が前記第１の位置から前記第１の筐体の面内で平行に移動された第２の位置との間、及び前記第１の位置と、前記第２の筐体が前記第１の位置から前記第１の筐体の面内で所定の角度回転移動された第３の位置との間で、前記第１の筐体と前記第２の筐体とを移動可能に連結することを特徴とする。
【００１１】
請求項１に記載の携帯機器によれば、第１の筐体と第２の筐体とのシルエットが重ねあわされた第１の位置と、第２の筐体が第１の位置から第１の筐体の面内で平行に移動された第２の位置との間で、第１の筐体と第２の筐体とが移動可能に連結されている。また、第１の位置と、第２の筐体が前記第１の位置から第１の筐体の面内で所定の角度回転移動された第３の位置との間で、第１の筐体と第２の筐体とが回転移動可能に連結されている。
【００１２】
これにより、収納状態である第１の位置から表示手段が縦長の向きである第２の位置、及び収納状態である第１の位置から表示手段が横長の向きである第３の位置へ、第２の筐体を片手で容易に動かすことができる。
【００１３】
請求項２に記載の携帯機器は、第１の筐体と、文字及び／又は画像が表示される表示手段が配設された第２の筐体と、前記第１の筐体と前記第２の筐体とを連結する連結機構と、前記携帯機器へ指示を入力する複数の操作部で構成される操作手段と、を備えた携帯機器であって、前記連結機構は、前記第１の筐体と前記第２の筐体とのシルエットが重ねあわされた第１の位置と、前記第２の筐体が前記第１の位置から前記第１の筐体の面内で平行に移動された第２の位置との間、及び前記第１の位置と、前記第２の筐体が前記第１の位置から前記第１の筐体の面内で所定の角度回転移動された第３の位置との間で、前記第１の筐体と前記第２の筐体とを移動可能に連結し、前記操作手段は、前記第２の位置及び前記第３の位置において、それぞれ異なる前記操作部が露出されることで操作可能となるように前記第２の筐体に配設されることを特徴とする。
【００１４】
請求項２に記載の携帯機器によれば、第１の筐体と第２の筐体とのシルエットが重ねあわされた第１の位置と、第２の筐体が第１の位置から第１の筐体の面内で平行に移動された第２の位置との間で、第１の筐体と第２の筐体とが移動可能に連結されており、第１の位置と、第２の筐体が第１の位置から第１の筐体の面内で所定の角度回転移動された第３の位置との間で、第１の筐体と第２の筐体とが回転移動可能に連結されている携帯機器において、第２の位置、第３の位置においてそれぞれ異なる操作部が露出されることにより、その操作部のみ操作可能となる。
【００１５】
これにより、第１の位置、第２の位置、第３の位置において必要な操作部のみが露出されるため、操作性を良くすることができる。
【００１６】
請求項３に記載の携帯機器は、請求項１又は２に記載の携帯機器において、前記第２の筐体の移動を規制する規制手段を備え、前記規制手段は、前記第１の位置においては、前記第２の筐体の平行移動及び回転移動を可能とし、前記第２の位置においては、前記第２の筐体の平行移動のみを可能とし、前記第３の位置においては、前記第２の筐体の回転移動のみを可能とするように、前記第２の筐体の動きを規制することを特徴とする。
【００１７】
請求項３に記載の携帯機器によれば、第１の位置においては第２の筐体の平行移動及び回転移動を可能とし、第２の位置においては第２の筐体の平行移動のみを可能とし、第３の位置においては第２の筐体の回転移動のみを可能とするように第２の筐体の動きを規制することで、第１の位置と第２の位置、及び第１の位置と第３の位置の間のみで第２の筐体を移動可能とした。
【００１８】
これにより、不要な動作ができないように第２の筐体の動きが規制されるため、収納状態である第１の位置から表示手段が縦長の向きである第２の位置、及び収納状態である第１の位置から表示手段が横長の向きである第３の位置へ、第２の筐体を片手でより容易に動かすことができる。
【００１９】
請求項４に記載の携帯機器は、請求項１、２又は３に記載の携帯機器において、前記第２の筐体を前記第１の位置と、前記第２の位置と、前記第３の位置とでそれぞれ所定の保持力で停止させる停止機構を備え、前記停止機構は、前記第１の位置において前記第１の筐体と前記第２の筐体とが重ねあわされた部分であって、前記第１の筐体と前記第２の筐体との間に配設されたことを特徴とする。
【００２０】
請求項４に記載の携帯機器によれば、第１の位置において第１の筐体と第２の筐体とが重ねあわされた部分であって、第１の筐体と第２の筐体との間に配設された停止機構によって、第１の位置、第２の位置及び第３の位置で第２の筐体が所定の保持力で停止される。
【００２１】
これにより、収納状態である第１の位置、表示手段が縦長の向きである第２の位置、及び第３の位置で第２の筐体が停止されるため、第２の筐体を所定の位置に動かす場合において、第２の筐体を移動させる操作が容易となる。
【００２２】
請求項５に記載の携帯機器は、請求項１〜４のうちいずれか１に記載の携帯機器において、前記第１の筐体と前記第２の筐体との位置関係を検出する検出手段と、前記検出手段で検出された前記第１の筐体と前記第２の筐体との位置関係に基づいて、前記携帯機器の動作モードの切り替え、又は使用可能な動作モードの制限をする制御手段と、を備えたことを特徴とする。
【００２３】
請求項５に記載の携帯機器によれば、検出手段によって、第１の筐体と第２の筐体との位置関係、すなわち第１の筐体と第２の筐体とが第１の位置、第２の位置又は第３の位置のうちのどの位置にあるかが検出され、その検出された第１の筐体と第２の筐体との位置関係に基づいて、携帯機器の動作モードの切り替え、又は使用可能な動作モードの制限が行われる。
【００２４】
これにより、収納状態である第１の位置から表示手段が縦長の向きである第２の位置、及び収納状態である第１の位置から表示手段が横長の向きである第３の位置へ、第２の筐体を片手で容易に動かすと共に動作モードの切り替えも行われるため、携帯機器の操作性を良くすることができる。
【００２５】
請求項６に記載の携帯機器は、請求項１〜５のうちいずれか１に記載の携帯機器において、被写体を撮影するためのカメラが、前記第１の筐体の前記第２の筐体が連結される面と対向する面に配設されたことを特徴とする。
【００２６】
請求項６に記載の携帯機器によれば、カメラが第１の筐体の第２の筐体が連結される面と対向する面に配設されている、すなわちカメラが表面に露出するように第１の筐体にカメラが配設されている。
【００２７】
これにより、常にカメラが露出しているため、速写性を良くすることができる。
【００２８】
請求項７に記載の携帯機器は、請求項１〜５のうちいずれか１に記載の携帯機器において、前記第２の筐体が前記第２の位置にある場合には被写体が撮影できるように撮影レンズが露出され、前記第２の筐体が前記第３の位置にある場合には前記第１の筐体によって前記撮影レンズが覆われるように、前記表示手段と対向して前記第２の筐体にカメラが配設されたことを特徴とする。
【００２９】
請求項７に記載の携帯機器によれば、第２の筐体が第２の位置にある場合には撮影レンズが露出されるため、被写体が撮影できる。また、第２の筐体が第３の位置にある場合には第１の筐体によって撮影レンズが覆われるため、撮影レンズが保護される。
【００３０】
これにより、収納時、テレビモードで携帯機器を動作させている場合等、カメラを使用しない場合には撮影レンズが第１の筐体によって覆われるため、撮影レンズを保護することができる。
【００３１】
請求項８に記載の携帯機器は、請求項７に記載の携帯機器において、前記第１の筐体と前記第２の筐体との位置関係を検出する検出手段と、前記検出手段で検出された前記第１の筐体と前記第２の筐体との位置関係に基づいて、前記携帯機器の動作モードの切り替え、又は使用可能な動作モードの制限をする制御手段と、を備え、前記制御手段は、前記携帯機器のカメラモード及びテレビモードを含む全ての動作モードのうち、前記第２の位置ではカメラモードを動作可能にし、前記第３の位置ではテレビモードを動作可能にすることを特徴とする。
【００３２】
請求項８に記載の携帯機器によれば、第２の筐体が第２の位置にある場合には撮影レンズが露出され、第２の筐体が第３の位置にある場合には第１の筐体によって撮影レンズが覆われるように、カメラが第２の筐体に配設されている場合において、携帯機器のカメラモード及びテレビモードを含む全ての動作モードのうち、第２の位置ではカメラモードを動作可能にし、第３の位置ではテレビモードを動作可能にするように、制御手段によって携帯機器が制御される。
【００３３】
これにより、必要な位置で必要な動作モードに携帯機器が制御されるため、携帯機器の操作性を良くすることができる。
【００３４】
請求項９に記載の携帯機器は、請求項１〜５のうちいずれか１に記載の携帯機器において、前記第２の筐体が前記第１の位置にある場合には前記第１の筐体によって撮影レンズが覆われ、前記第２の筐体が前記第２の位置及び前記第３の位置にある場合には被写体が撮影できるように前記撮影レンズが露出されるように、前記表示手段と対向して前記第２の筐体にカメラが配設されたことを特徴とする。
【００３５】
請求項９に記載の携帯機器によれば、第２の筐体が第１の位置にある場合には第１の筐体によって撮影レンズが覆われるため、撮影レンズが保護される。また、第２の筐体が第２の位置及び第３の位置にある場合には撮影レンズが露出され、被写体が撮影できる。
【００３６】
これにより、縦撮りを行う第２の位置と、横撮りを行う第３の位置との間で第２の筐体を動かすことにより、縦撮りか、横撮りかを片手で容易に切り替えることができる。また、縦撮りを行う第２の位置と横撮りを行う第３の位置とを容易に切り替えることができるため、機器を保持したまま、機器を回転させること無く縦撮り・横撮りが可能となる。
【００３７】
請求項１０に記載の携帯機器は、請求項９に記載の携帯機器において、前記第１の筐体と前記第２の筐体との位置関係を検出する検出手段を備え、前記カメラは、前記検出手段で検出された前記第１の筐体と前記第２の筐体との位置関係に基づいて、撮像された画像が縦撮りの画像であるか又は横撮りの画像であるかを示す撮影姿勢情報を、前記撮像された画像に添付することを特徴とする。
【００３８】
請求項１０に記載の携帯機器によれば、検出手段によって、第１の筐体と第２の筐体との位置関係、すなわち第１の筐体と第２の筐体とが第１の位置、第２の位置又は第３の位置のうちのどの位置にあるかが検出され、その検出された第１の筐体と第２の筐体との位置関係に基づいて、撮像された画像が縦撮りの画像であるか又は横撮りの画像であるかを示す撮影姿勢情報を、撮像された画像に添付する。
【００３９】
これにより、第２の位置では縦撮りにより、第３の位置で横撮りにより撮影された画像に、縦撮りの画像であるか又は横撮りの画像であるかを示す撮影姿勢情報が添付されるため、再生時にその情報を用いることによって視認性をあげることができる。
【００４０】
請求項１１に記載の携帯機器は、請求項６に記載の携帯機器において、カメラによって取得された被写体像を前記表示手段へライブ画像として出力して表示させる被写体像出力手段を備え、前記被写体像出力手段は、前記第１の筐体と前記第２の筐体との位置関係を検出する検出手段の検出結果に基づいて、出力する被写体像の方向を変えることを特徴とする。
【００４１】
請求項１１に記載の携帯機器によれば、カメラによって取得されたライブ画像、すなわちスルー画像を表示手段へ出力する場合において、第１の筐体と第２の筐体との位置関係を検出する検出手段の検出結果に基づいて、出力する被写体像の方向が変更される。
【００４２】
これにより、撮影時に表示手段の向きによって表示される画像の方向が変更されるため、携帯機器の操作性を良くすることができる。
【００４３】
請求項１２に記載の携帯機器は、請求項１０に記載の携帯機器において、前記表示手段に画像を表示させる再生手段を備え、前記再生手段は、前記検出手段によって検出された前記第１の筐体と前記第２の筐体との位置関係と、再生する画像に添付された撮像された画像が縦撮りの画像であるか又は横撮りの画像であるかを示す撮影姿勢情報とに基づいて、前期表示手段の画面上で前記画像が正立するように表示させることを特徴とする。
【００４４】
請求項１２に記載の携帯機器によれば、検出手段によって検出された第１の筐体と第２の筐体との位置関係と、再生する画像に添付された撮像された画像が縦撮りの画像であるか又は横撮りの画像であるかを示す撮影姿勢情報とに基づいて、表示手段の画面上で画像が正立するように、画像を表示手段に表示させる。
【００４５】
これにより、撮影された画像の向きと、表示手段の向きによって表示される画像の方向が自動的に変更されるため、携帯機器の操作性を良くすることができる。
【発明の効果】
【００４６】
本発明によれば、表示手段を縦長で使用する場合又は表示手段を横長で使用する場合においても、収納状態から片手で容易に使用状態にすることができる携帯機器を提供することができる。
【発明を実施するための最良の形態】
【００４７】
以下、添付図面に従って本発明に係るカメラを実施するための最良の形態について詳細に説明する。
【００４８】
＜第１の実施の形態＞
図１は本発明に係る第１の実施の形態の携帯機器１の外観図であり、（ａ）は第１の筐体と第２の筐体とのシルエットが重ねあわされた収納状態である第１の位置を示し、（ｂ）は表示手段が縦長の向きである第２の位置での使用状態を示し、（ｃ）は表示手段が横長の向きである第３の位置での使用状態を示す。
【００４９】
携帯機器１は、例えば携帯電話などの、折り畳み、すなわち第１の筐体と第２の筐体とのシルエットが重ねあわされることが可能な携帯機器であり、主に、ダイヤルキー１２等からなる操作ボタン等を備える第１の筐体１０と、画像等の情報を表示するディスプレイ２１等を備える第２の筐体２０と、第１の筐体１０と第２の筐体２０とを連結する連結部３０とで構成される。
【００５０】
第１の筐体１０は略直方体であり、第１の位置において内側となる面には、図１に示すように、主として、ダイヤルキー１２、通話ボタン１３、終話ボタン１４、モードボタン１５、テレビ用操作部１６、音量ボタン１７からなる第１操作部４１ａ、マイク１１等が配設されている。
【００５１】
また、第１操作部４１ａ、マイク１１等が配設されている面と対向する面には、図２に示すように、主として、カメラ２、内部に電源が収納されている電源収納部１８等が配設されている。
【００５２】
第２の筐体２０は、第１の筐体１０と同じく略直方体であり、折り畳まれた状態で外側となる面には、主として、十字ボタン２３、第２通話ボタン２４、第２終話ボタン２５からなる第２操作部４１ｂ、所定のアスペクト比を有する矩形状のディスプレイ２１、スピーカー２２等が配設されている。
【００５３】
また、第１の筐体の内部には、図示しないが、主として、第１操作部４１ａ、第２操作部４１ｂ等によって入力された信号等を処理するためのＣＰＵ等が設けられたメイン基板、バッテリー等が配設されている。メイン基板とディスプレイ２１とは、ヒンジ内部を通るフレキシブルプリント板によって電気的に接続されているが、図では省略している。
【００５４】
図１（ａ）に示すように、第１の筐体と第２の筐体とのシルエットが重ねあわされた状態、すなわち第１の位置は、携帯状態、収納状態であり、この場合には第２の筐体に配設されている第２操作部４１ｂのみが表面に露出されており、操作が可能である。なお、第２操作部４１ｂには、電源、通話、通話先選択、決定等の基本的な操作が割り当てられており、第１の位置においてもかかってきた通話に応答することや、登録済みの通話先に電話をかけたりすることができる。
【００５５】
図１（ｂ）に示すように、第２の筐体２０が第１の位置から第１の筐体１０の面内で平行に移動された第２の位置では、第１の筐体１０に配設されている第１操作部４１ａのうち、ダイヤルキー１２、通話ボタン１３、終話ボタン１４、モードボタン１５が露出され、操作が可能となる。ダイヤルキー１２、通話ボタン１３、終話ボタン１４、モードボタン１５は電話用の主要な操作ボタンであり、任意の番号への通話、メール入力、メール送受信等を行なうことができる。
【００５６】
また、第２の位置では、マイク１１が露出され、その位置関係が通話に都合の良い距離に離れることにより、マイク１１とスピーカー２２とをそれぞれ耳と口とに当てることにより、電話機能を用いて通話が可能であり、また使い勝手が良い。
【００５７】
なお、第１の位置及び第２の位置において、ディスプレイ２１は縦長の向きである。
【００５８】
図１（ｃ）に示すように、第２の筐体２０が第１の位置から第１の筐体１０の面内で９０度回転移動された第３の位置では、テレビ用操作部１６、音量ボタン１７が更に露出されることで、全ての第１操作部４１ａが露出され、操作が可能となる。テレビ用操作部１６には、プレイ、ストップ、早送り、巻き戻し等のメディアプレーヤーの操作機能や、選局等のテレビ操作機能が割り当てられており、これらの操作が可能となる。
【００５９】
また、第３の位置では、ディスプレイ２１が横長の向きになり、テレビ等の横長の画像を画面いっぱいに表示することが可能となる。
【００６０】
次に、第１の筐体と第２の筐体２０とを移動可能に連結する連結部３０の構成について説明する。図３、図４は連結部３０の構成を示した斜視図である。
【００６１】
図３に示すように、第２の筐体２０の裏面には、かぎ穴状スリット３１と丸穴３２とが配設されている。また、図４に示すように、第１の筐体１０には、キー３３、抜け止めキャップ３４、ロックピン３５−１、３５−２、検出スイッチ３６、バネ（図示せず）が配設されている。
【００６２】
かぎ穴状スリット３１は、丸穴部と長穴部とが連結された形状をしている。丸穴部は、キー３３が内部で回転可能であり、また抜け止めキャップ３４が抜けないような大きさとなっている。長穴部は、その内部をキー３３が摺動できるようになっている。
【００６３】
丸穴３２は、ロックピン３５−１、３５−２が勘合可能なように、その穴径はロックピン３５−１、３５−２の直径より大きくなっている。
【００６４】
キー３３は、第１の筐体１０の外側に配設されており、かぎ穴状スリット３１の内部を摺動可能である。
【００６５】
抜け止めキャップ３４は、キー３３の上部に配設されており、キー３３がかぎ穴状スリット３１から抜けないように機能する。なお、図４においては、抜け止めキャップ３４はキー３３と一体となっているが、これは組み立て後の形状を示しているためであり、抜け止めキャップ３４は、かぎ穴状スリット３１にキー３３を通過させた後で抜け止めキャップ３４を取り付けるなどの方法でキー３３に組み付けるものである。
【００６６】
ロックピン３５−１、３５−２は、第１の筐体１０の内部からバネにより第１の筐体１０の外部に突出する方向に付勢されており、第１の筐体１０の外部に突出した位置と、第１の筐体１０側に押し下げられた位置との２通りの位置を取り得るようになっている。
【００６７】
検出スイッチ３６は、ロックピン３５−１、３５−２の下側であって、第１の筐体１０の内部に配設されており、ロックピン３５−１、３５−２が第１の筐体１０の外部に突出した位置と、第１の筐体１０側に押し下げられた位置とのどちらの位置にあるかを検出することができる。
【００６８】
図５は、第１の筐体１０と第２の筐体２０とが結合した状態を、図３、図４におけるＡ−Ａ断面で見た断面図である。
【００６９】
図５（ａ）に示すように、第１の位置において、かぎ穴状スリット３１の丸穴部にキー３３が勘合されており、抜け止めキャップ３４が第２の筐体２０の内部からキー３３に組み立てられている。これにより、第１の筐体１０と第２の筐体２０とが分離しないように連結されている。
【００７０】
また、第１の位置において、ロックピン３５−１はかぎ穴状スリット３１の長穴部に勘合されている。ロックピン３５は、第１の筐体１０に配設されているバネ３７により第１の筐体１０の外部に突出する方向に付勢されているが、第１の位置ではかぎ穴状スリット３１に勘合されているため、バネ３７は伸びた状態となっている。
【００７１】
図５（ａ）’は第１の位置から第２の筐体２０を平行に移動させた状態であるが、第２の筐体２０によってバネ３７の力に反してロックピン３５−１が第１の筐体１０側に押されている。
【００７２】
図５（ｂ）に示すように、第２の位置において、ロックピン３５−２がバネ３７により第２の筐体２０側に押されて、ロックピン３５−２と丸穴３２とが勘合する。
【００７３】
ロックピン３５−２がバネ３７により第１の筐体１０の外部に突出する方向に付勢されているため、ロックピン３５−２が突出した状態においては、第２の筐体が所定の保持力で停止されるようになっている。
【００７４】
以上のように構成された連結部によれば、第１の筐体１０と第２の筐体２０とが移動可能に連結される。
【００７５】
図６は上記携帯機器１の内部構成の実施の形態を示すブロック図である。
【００７６】
同図に示すように、携帯機器１は、図１に示した、第１の操作部４１ａと第２の操作部４１ｂとを含む操作部４１、ディスプレイ２１、マイク１１、スピーカー２２の他に、中央処理装置（ＣＰＵ）４０、メモリ４２、音声処理部４４、送受信回路４６等を有し、通常の電話機能とともに、テレビを受信するための機能、電子メールを送受信するための機能を備えている。
【００７７】
ＣＰＵ４０は、所定のプログラムに従って携帯機器１の全体の動作を制御する制御部として機能するとともに、各種演算を行う演算装置として機能する。即ち、ＣＰＵ４０は、操作部４１から入力される指令信号に基づいて携帯機器１内の各回路を制御し、通信制御、撮影動作制御、画像処理制御、ディスプレイ２１の表示制御、メモリ４２の読み書き制御及びアドレス帳の管理などを行う。
【００７８】
メモリ４２は、バス４９を介してＣＰＵ４０と接続されており、ＣＰＵ４０が実行するプログラム及び制御に必要な各種データなどが格納される不揮発性メモリ（ＲＯＭ）領域と、プログラムの展開領域及びＣＰＵ４０の演算作業用領域として利用される揮発性メモリ（ＲＡＭ）領域とを含むブロックである。ＲＯＭ領域は、アドレス帳や通話履歴のデータ記憶領域として利用されるとともに、音声や画像の保存領域として利用される。また、ＲＡＭ領域は、画像データの一時記憶領域としても利用される。
【００７９】
音声処理部４４は、ＣＰＵ４０と連携して音声信号を処理又は変換する手段である。音声処理部４４は、送受信回路４６から受入したデータの復号化処理及び送受信回路４６を通じて送信するデータの符号化処理を行うとともに、マイク１１からの入力音声信号の符号化処理、スピーカー２２への出力信号生成処理などを行う。
【００８０】
送受信回路４６は、アンテナ４８で受信したデータ及びアンテナ４８から送信するデータの信号形式の変換を行う。
【００８１】
通話モード（電話機能を使用するモード）において、通信相手との通信接続が確立されると、マイク１１ から入力される音声は電気信号に変換され、音声処理部４４に送られる。音声処理部４４はマイク１１から入力された音声信号をデジタル信号に変換（Ａ／Ｄ変換）した後、所要の信号処理を行い、所定形式の音声データに変換する。音声処理部４４で処理された音声データ（送信用のデータ）は、バス４９を介して送受信回路４６に送られ、所定の送信用信号形式に変換された後、アンテナ４８から送信される。
【００８２】
アンテナ４８によって受波された信号は、送受信回路４６において復調され、音声処理部４４に送られる。音声処理部４４は、送受信回路４６から受入した音声信号を所定形式の音声データに変換する。音声処理部４４で生成された音声データ（受信データ）は、アナログ音声信号に変換（Ｄ／Ａ変換）された後、スピーカー２２に送られる。こうして、通話相手の音声がスピーカー２２から可聴出力される。
【００８３】
テレビモードにおいて、アンテナ４８でテレビ放送の電波が受信されると、受信されたテレビ放送の信号は送受信回路４６において音声信号と映像信号とに分けられる。
【００８４】
音声信号は、音声処理部４４に入力され、スピーカー２２から出力される。
【００８５】
一方、映像信号は、送受信回路４６にてデジタル信号に変換された後、表示回路６０を介してディスプレイ２１に出力される。これにより、ディスプレイ２１にテレビ映像が表示される。
【００８６】
なお、送受信回路４６におけるテレビのチャンネル選択は、十字ボタン２３の左右のキーで行なわれる。すなわち、右キーを１回押すごとに、チャンネルが１つずつ順送りされ、左キーを１回押すごとに、チャンネルが１つずつ逆送りされる。
【００８７】
また、テレビ音声のボリュームは、音量ボタン１７の＋キー、−キーで行なわれ、＋キーを１回押すごとに、ボリュームが段階的にアップし、−キーを１回押すごとに、ボリュームが段階的にダウンする。
【００８８】
また、この携帯機器１は、電子メール機能やインターネットのブラウザ機能などを利用して画像データ、文書データ、プログラムデータなど種々のデータを送受信することが可能である。
【００８９】
更に、携帯機器１は、撮影レンズ５０とＣＣＤイメージセンサ（以下、ＣＣＤという）５２とを有し、ＣＣＤ５２から得られる画像信号を処理するためのアナログ処理部５４、Ａ／Ｄ変換器５５、画像処理部５６、圧縮伸張部５７を備えている。
【００９０】
撮影レンズ５０を通過した光はＣＣＤ５２の受光面の上に焦点を結ぶ。ＣＣＤ５２の受光面には多数のフォトセンサ（受光素子）が平面的に配列され、各フォトセンサに対応して赤（Ｒ）、緑（Ｇ）、青（Ｂ）の原色カラーフィルタが所定の配列構造で配置されている。
【００９１】
ＣＣＤ５２の受光面に結像された被写体像は、各フォトセンサによって入射光量に応じた量の信号電荷に変換される。ＣＣＤ５２は、シャッタゲートパルスのタイミングによって各フォトセンサの電荷蓄積時間（シャッタスピード）を制御する電子シャッター機能を有している。
【００９２】
ＣＣＤ５２の各フォトセンサに蓄積された信号電荷は、ＣＰＵ４０の指令に従いタイミングジェネレータ（ＴＧ）５８から与えられるパルス（水平駆動パルスφＨ，垂直駆動パルスφＶ，オーバーフロードレインパルス）に基づいて信号電荷に応じた電圧信号（画像信号）として順次読み出される。ＣＣＤ５２から出力された画像信号は、アナログ処理部５４に送られ、相関二重サンプリング（ＣＤＳ）処理やゲイン調整などの所要の処理が施された後、Ａ／Ｄ変換器５５によってデジタル信号に変換される。デジタル化された画像データは画像処理部５６に送られる。
【００９３】
画像処理部５６は、同時化回路（単板ＣＣＤのカラーフィルタ配列に伴う色信号の空間的なズレを補間して各点の色を計算する処理回路）、輝度・色差信号生成回路、ガンマ補正回路、輪郭補正回路、ホワイトバランス補正回路等を含むデジタル画像信号処理手段であり、ＣＰＵ４０からのコマンドに従ってメモリ４２を活用しながら画像信号を処理する。
【００９４】
画像処理部５６において、ホワイトバランス調整処理、ガンマ変換処理、輝度信号（Ｙ信号）及び色差信号（Ｃr、Ｃb信号）への変換処理（ＹＣ処理）など、所定の処理が施されて生成された画像データはメモリ４２に一時的に記憶される。ここで、撮影中の映像をディスプレイ２１に表示させる場合には、このメモリ４２の内容を読み出して表示回路６０に送り、表示回路６０において表示用の信号形式に変換した後、ディスプレイ２１に供給する。これにより、ＣＣＤ５２が捉えているライブ画像（スルー画像）がディスプレイ２１に表示され、撮影者はディスプレイ２１の表示映像によって撮影画角（構図）を確認できる。
【００９５】
操作部４１の撮影ボタン（例えば、撮影モード時に割り当てられた操作部４１のうちのいずれかのボタン、又は専用の撮影ボタン）が押され、又は後述する着信レリーズモードの設定中に着信があると、ＣＰＵ４０はこれを検知して、撮影動作を実行する。即ち、ＣＣＤ５２の露光制御及び電荷の読み出し制御が行われる。
【００９６】
こうして取り込まれた画像データは、画像処理部５６においてＹＣ処理その他の所定の信号処理を経た後、圧縮伸張部５７に送られ、ここで所定の圧縮フォーマット（例えば、ＪＰＥＧ形式)に従って圧縮される。圧縮された画像データは、メモリ４２の画像保存領域に格納される。
【００９７】
画像再生時には、ユーザーのファイル選択操作に応じて、または自動的にメモリ４２から画像ファイルのデータが読み出される。メモリ４２から読み出された圧縮データは、圧縮伸張部５７によって伸張され、表示回路６０を介して表示用の信号に変換された後、ディスプレイ２１に出力される。これにより、当該ファイルの画像内容がディスプレイ２１上に表示される。
【００９８】
次に、以上のように構成された本実施の形態の携帯機器１の作用について説明する。
【００９９】
第１の筐体１０と第２の筐体２０とを第１の位置から第２の位置又は第３の位置に移動させる方法について説明する。
【０１００】
図７は連結部３０を透視した透視図であり、（ａ）は第１の筐体と第２の筐体とのシルエットが重ねあわされた第１の位置を示し、（ｂ）は第２の筐体が第１の位置から平行に移動された第２の位置を示し、（ｃ）は第２の筐体が第１の位置から回転移動された第３の位置を示す。
【０１０１】
図７（ａ）に示すように、第１の位置においては、キー３３はかぎ穴状スリット３１の丸穴部にはまっており、キー３３の直線部はかぎ穴状スリット３１の長穴部における直線部と平行である。そのため、図７（ａ）矢印に示すように、第２の筐体２０を上方向に平行移動させることが可能である。なお、第１の位置においては、キー３３がかぎ穴状スリット３１の丸穴部と当接していることと、ロックピン３５−１がかぎ穴状スリット３１の長穴部にはまり込んでいることにより、第２の筐体２０は、第１の位置で所定の保持力で停止される。
【０１０２】
第２の筐体２０が第１の位置から第２の位置へ平行に移動される方法について示す。
【０１０３】
図７（ａ）、図８（ａ）の状態から、図８（ｂ）に示すように、第１の筐体１０を右手で保持し、右手の親指によって第２の筐体２０を上方向にずらすと、第２の筐体２０は上方向に平行に移動し、図７（ａ）の状態から図７（ｂ）に示すような第２の位置へ移動される。この場合には、かぎ穴状スリット３１の丸穴部にはまり込んでいたキー３３が長穴部にはまり込むため、第２の筐体２０の回転移動が規制され、平行移動のみが可能となる。
【０１０４】
図７（ｂ）に示すように、キー３３がかぎ穴状スリット３１の長穴部の端に位置するまで、すなわちｌ１だけ第２の筐体２０が上方向に移動されると、第１の位置ではｌ１だけ離れていた丸穴３２とロックピン３５−２との位置が一致して、ロックピン３５−２がかぎ穴状スリット３１の直線部の先にある丸穴３２にはまり込み、第２の筐体２０がロックされる。そのため、第２の筐体２０は、第２の位置で所定の保持力で停止される。なお、第２の位置では、キー３３がかぎ穴状スリット３１の長穴部にはまり込むため、第２の筐体２０の回転移動が規制され、平行移動のみが可能となる。
【０１０５】
次に、第２の筐体２０が第１の位置から第３の位置へ回転移動される方法について説明する。
【０１０６】
図７（ａ）、図８（ａ）の状態から、図８（ｃ）に示すように、第１の筐体１０を右手で保持し、右手の親指によって第２の筐体２０を向かって右にずらすと、第２の筐体２０は反時計回りに回転し、図７（ｃ）、図８（ｃ）に示すような第３の位置へ移動される。この間、キー３３はかぎ穴状スリット３１の丸穴部の内周に沿って摺動される。
【０１０７】
なお、第２の筐体２０の反時計回りの回転は、図示しないストッパーにより９０度までに規制されているため、第２の筐体２０は９０度以上回転しないようになっている。また、第２の筐体２０の時計回りの回転は、図示しないストッパーにより回転しないように規制されているため、第２の筐体２０は反時計回りにのみ回転できるようになっている。
【０１０８】
図７（ｃ）、図８（ｃ）の状態、すなわち第３の位置では、図７（ｃ）に示すように、ロックピン３５−２がかぎ穴状スリット３１の長穴部にはまり込み、第２の筐体２０をロックする。そのため、第２の筐体２０は、第３の位置で所定の保持力で停止される。
【０１０９】
このように、第２の筐体が第１の位置から第２の位置へワンタッチで平行移動が可能となる。また、第２の筐体が第１の位置から第３の位置へワンタッチで回転移動が可能となる。
【０１１０】
また、携帯機器１は、第１の筐体１０と第２の筐体２０とが第１の位置、第２の位置又は第３の位置のどの位置にあるかを自動的に検出し、検出された結果に基づいて携帯機器１の動作モードの切り替え、使用可能な動作モードの制限を行う。
【０１１１】
まず、第１の筐体１０と第２の筐体２０とが第１の位置、第２の位置又は第３の位置のどの位置にあるかを自動的に検出する方法について説明する。
【０１１２】
図９は、上記携帯機器１の第１の筐体１０と第２の筐体２０の位置関係を検出する場合における処理の流れを示すフローチャートである。
【０１１３】
まず、ロックピン３５−１が突出しているかどうかが判定される（ステップＳ１０）。
【０１１４】
ステップＳ１０において、ロックピン３５−１が突出していると判断された場合は、ロックピン３５−２が突出しているかどうかが判定され（ステップＳ１２）、ロックピン３５−２が突出している場合には第３の位置にあると判別され（ステップＳ１４）、ロックピン３５−２が突出していない（押し下げられている）場合には第１の位置にあると判別される（ステップＳ１６）。
【０１１５】
ステップＳ１０において、ロックピン３５−１が突出していないと判断された場合は、ロックピン３５−２が突出しているかどうかが判定され（ステップＳ１８）、ロックピン３５−２が突出している場合には第２の位置にあると判別され（ステップＳ２０）、ロックピン３５−２が突出していない場合には移動中であると判別されステップ１０に戻る。
【０１１６】
次に、検出された第１の筐体１０と第２の筐体２０との位置関係に基づいて、携帯機器１の動作モードの切り替え、使用可能な動作モードの制限の制限を行う方法について説明する。
【０１１７】
第１の筐体１０と第２の筐体２０とが第１の位置にある場合には、待ち受けモード、通話モード、カメラモードに制限された状態で携帯機器が動作される。
【０１１８】
図８（ａ）に示すように、受信状態や電池残量、時刻等がディスプレイに表示される待ち受けモードで携帯機器１が動作される。待ち受けモードでの動作中に電話がかかってきた場合には、第２通話ボタン２４を押すことにより、携帯機器１を動作する動作モードが通話モードに切り替えられる。通話モードでの動作中に第２終話ボタン２５を押すことにより、携帯機器１を動作する動作モードが待ち受けモードに切り替えられる。
【０１１９】
待ち受けモードでの動作中に十字ボタン２３を押すことにより、携帯機器１を動作する動作モードがカメラモードに切り替えられる。カメラモードにおいて、縦長の画像を撮影したい場合には、図８（ａ）に示すように携帯機器１を縦長に構えて撮影を行う、すなわち縦撮りを行えばよい。また、横長の画像を撮影したい場合には、携帯機器１を横に構えて撮影をおこなう、すなわち横撮りを行えばよい。
【０１２０】
なお、上記では、十字ボタン２３により待ち受けモード、カメラモードの順番で動作モードを切り替えたが、これに限らない。
【０１２１】
第１の筐体１０と第２の筐体２０とが第２の位置にある場合には、通話モード、メールモード、カメラモード、静止画再生モードに制限された状態で携帯機器が動作される。
【０１２２】
図８（ｂ）に示すように、第１の筐体１０と第２の筐体２０とが第２の位置に移動されるのと同時に、携帯機器１が通話モードで動作される。通話モードにおいては、ダイヤルキー１２を用いて任意の番号を入力した後で通話ボタン１３を押すことにより、任意の番号へ通話することができる。なお、第１の位置の待ち受けモードでの動作中に電話がかかってきた場合には、第１の筐体１０と第２の筐体２０とが第２の位置にすることにより、自動的に通話モードになり、通話が開始される。通話が終了した場合には、終話ボタン１４を押すことにより通話が終了される。
【０１２３】
通話モードでの動作中にモードボタン１５を押すことにより、携帯機器１を動作する動作モードがメールモードに切り替えられる。メールモードにおいては、ダイヤルキー１２に割り当てられた文字を入力することでメール入力が可能であり、通話ボタン１３を押すことでメール送受信が可能である。
【０１２４】
メールモードでの動作中にモードボタン１５を押すことにより、携帯機器１を動作する動作モードがカメラモードに切り替えられる。なお、カメラモードにおける動作は、第１の位置での場合と同様であるため、説明を省略する。
【０１２５】
カメラモードでの動作中にモードボタン１５を押すことにより、携帯機器１を動作する動作モードが静止画再生モードに切り替えられる。画像のコマ送りは、十字ボタン２３の左右のキー操作によって行なわれ、十字ボタン２３の右キーが押されると、次の画像ファイルがメモリ４２から読み出され、ディスプレイ２１に再生表示される。また、十字ボタン２３の左キーが押されると、一つ前の画像ファイルがメモリ４２から読み出され、ディスプレイ２１に再生表示される。
【０１２６】
静止画再生モードでの動作中にモードボタン１５を押すことにより、携帯機器１を動作する動作モードが再度通話モードに切り替えられる。
【０１２７】
なお、上記では、通話モード、メールモード、カメラモード、静止画再生モードの順番で動作モードを切り替えたが、これに限らない。
【０１２８】
第１の筐体１０と第２の筐体２０とが第３の位置にある場合には、テレビモード、プレーヤーモード、カメラモードに制限された状態で携帯機器が動作される。
【０１２９】
図８（ｃ）に示すように、第１の筐体１０と第２の筐体２０とが第３の位置に移動されるのと同時に、携帯機器１がテレビモードで動作される。テレビモードにおいては、テレビ用操作部１６を用いて、選局等の操作をすることができる。また、音量ボタン１７を用いて、テレビの音量の大小を変更することができる。
【０１３０】
テレビモードでの動作中にモードボタン１５を押すことにより、携帯機器１を動作する動作モードがプレーヤーモードに切り替えられる。プレーヤーモードにおいては、ゲーム、映画鑑賞などが可能であり、テレビ用操作部１６を用いて、プレイ、ストップ、早送り、巻き戻し等のメディアプレーヤーの操作を行うことができる。また、音量ボタン１７を用いて、音量の大小を変更することができる。
【０１３１】
プレーヤーモードでの動作中にモードボタン１５を押すことにより、携帯機器１を動作する動作モードがカメラモードに切り替えられる。この場合には、携帯機器１を回転させにくいため、携帯機器１の向きを変える必要がないように横長の画面の画像、すなわち横撮りのみに制限され、スルー画像の表示も横長の画像に限定される。
【０１３２】
カメラモードでの動作中にモードボタン１５を押すことにより、携帯機器１を動作する動作モードが再度テレビモードに切り替えられる。
【０１３３】
なお、上記では、テレビモード、プレーヤーモード、カメラモードの順番で動作モードを切り替えたが、これに限らない。
【０１３４】
ここで、複数の位置で駆動可能な動作モードにおいては、携帯機器１をその動作モードで駆動した状態を保ったまま、第１の筐体１０と第２の筐体２０との位置関係を変えることが可能である。本実施例では、カメラモードがこれに該当し、例えば、携帯機器１をカメラモードで駆動した状態を保ったまま、第２の位置から第３の位置へ移動させることが可能である。
【０１３５】
このようにして、第１の筐体１０と第２の筐体２０とが第１の位置、第２の位置又は第３の位置のどの位置にあるかが自動的に検出され、検出された結果に基づいて携帯機器１の動作モードの切り替え、使用可能な動作モードの制限が行われる。
【０１３６】
本発明の形態によれば、収納状態である第１の位置から表示手段が縦長の向きである第２の位置、及び収納状態である第１の位置から表示手段が横長の向きである第３の位置へ、第２の筐体を片手で容易に動かすことができる。
【０１３７】
また、第１の位置においては第２の筐体の平行移動及び回転移動を可能とし、第２の位置においては第２の筐体の平行移動のみを可能とし、第３の位置においては第２の筐体の回転移動のみを可能とすることにより、不要な動作ができないように第２の筐体の動きが規制されるため、第２の筐体を片手でより容易に動かすことができる。
【０１３８】
また、第１の位置において第１の筐体と第２の筐体とが重ねあわされた部分であって、第１の筐体と第２の筐体との間に配設された停止部によって、第１の位置、第２の位置及び第３の位置で第２の筐体が所定の保持力で停止されるため、第２の筐体を所定の位置に動かす場合において、第２の筐体を移動させる操作が容易となる。
【０１３９】
また、第１の筐体と第２の筐体との位置関係に基づいて、各位置において必要な操作部のみが露出されるため、操作性を良くすることができる。
【０１４０】
また、検出された第１の筐体と第２の筐体との位置関係に基づいて、携帯機器の動作モードの切り替え、又は使用可能な動作モードの制限が行われることにより、第２の筐体を片手で容易に動かすと共に動作モードの切り替えも行われるため、携帯機器の操作性を良くすることができる。
【０１４１】
また、常にカメラが露出しているため、速写性を良くすることができる。
【０１４２】
また、撮影時に、撮影レンズを介して取得された被写体像、すなわちスルー画像を表示手段へ出力する場合において、第１の筐体と第２の筐体との位置関係に基づいて、出力する被写体像の方向が変更されるため、携帯機器の向きを変える必要が無く、携帯機器の操作性を良くすることができる。
【０１４３】
なお、本実施の形態では、第１の位置において、待ち受けモードにおいて電話がかかってきた場合にのみ通話ボタンを押すことで、携帯機器を通話モードで動作させたが、これに限らず、あらかじめ携帯機器に登録してある登録番号のみへ電話をかけることができる登録番号への発信モードにおいても、携帯機器を動作できるようにしてもよい。登録番号への発信モードにおいては、十字ボタン２３の左右ボタンで発信先を選択し、通話ボタン２４で電話をかけるようにすれば、第１の位置で露出されている第２操作部４１ｂのみで操作が可能となる。
【０１４４】
＜第２の実施の形態＞
上記第１の実施の形態の携帯機器では、第１の筐体にカメラが配設されていたが、これに限定されるものではなく、第２の筐体に配設してもよい。
【０１４５】
本実施の形態の携帯機器は、第１の筐体と第２の筐体とが第２の位置にある場合にのみ撮影レンズが露出するように、カメラを第２の筐体に配設するものである。図１０は、本実施の形態の携帯機器１ａの外観図であり、（ａ）は第１の筐体と第２の筐体とのシルエットが重ねあわされた第１の位置（収納状態）を示し、（ｂ）は表示手段が縦長の向きである第２の位置での使用状態を示し、（ｃ）は表示手段が横長の向きである第３の位置での使用状態を示す。なお、図中、第１の実施の形態と同一の部分については、同一の符号を付し、説明を省略する。
【０１４６】
第２の筐体２０のディスプレイ２１と対向する面に、カメラ２ａが配設されている。
【０１４７】
カメラ２ａは、第１の位置においては第１の筐体１０によって覆われ（図１０（ａ）参照）、第２の位置においては被写体の撮影が可能となるように露出し（図１０（ｂ）参照）、第３の位置においては、筐体１０によって覆われる（図１０（ｃ）参照）ようになっている。
【０１４８】
携帯機器１ａは、第１の筐体１０と第２の筐体２０とが第１の位置、第２の位置又は第３の位置のどの位置にあるかを自動的に検出し、検出された結果に基づいて、以下に示すように、携帯機器１ａの動作モードの切り替え、使用可能な動作モードの制限を行う。
【０１４９】
第１の筐体１０と第２の筐体２０とが第１の位置にある場合には、待ち受けモード、通話モードに制限された状態で携帯機器が動作される。
【０１５０】
第１の筐体１０と第２の筐体２０とが第２の位置にある場合には、通話モード、メールモード、カメラモード、静止画再生モードに制限された状態で携帯機器が動作され、モードボタン１５を押すことにより、通話モード、メールモード、カメラモード、静止画再生モードの４個の動作モードが順番に切り替えられる。
【０１５１】
カメラモードにおいて、縦長の画像（縦撮り）を行う場合には、図１０（ｂ）に示す姿勢で撮影を行い、横長の画像（横撮り）を行う場合には、携帯機器１ａ全体を９０度回転させて撮影を行う。
【０１５２】
第１の筐体１０と第２の筐体２０とが第３の位置にある場合には、テレビモード、プレーヤーモードに制限された状態で携帯機器が動作され、モードボタン１５を押すことにより、テレビモード、プレーヤーモードの２個の動作モードが順番に切り替えられる。
【０１５３】
本発明の形態によれば、第２の筐体が第２の位置にある場合には撮影レンズが露出されるため、被写体が撮影できるが、第２の筐体が第３の位置にある場合には第１の筐体によって撮影レンズが覆われるため、撮影レンズが保護されるようにしたため、収納時、テレビモードで携帯機器を動作させている場合等、カメラを使用しない場合には撮影レンズが第１の筐体によって覆われることで、撮影レンズを保護することができる。
【０１５４】
また、携帯機器のカメラモード及びテレビモードを含む全ての動作モードのうち、第２の筐体が第２の位置ではカメラモードを動作可能にし、第３の位置ではテレビモードを動作可能にすることで、必要な位置で必要な動作モードに携帯機器が制御されるため、携帯機器の操作性を良くすることができる。
【０１５５】
＜第３の実施の形態＞
上記第２の実施の形態の携帯機器では、第１の筐体と第２の筐体とが第２の位置にある場合にのみ撮影レンズが露出するように、カメラを第２の筐体に配設されていたが、これに限定されるものではなく、第１の筐体と第２の筐体とが第３の位置にある場合においても撮影レンズを露出させてもよい。
【０１５６】
本実施の形態の携帯機器は、第１の筐体と第２の筐体とが第２の位置及び第３の位置にある場合に撮影レンズが露出するように、カメラを第２の筐体に配設するものである。図１１は、本実施の形態の携帯機器１ｂの外観図であり、（ａ）は第１の筐体と第２の筐体とのシルエットが重ねあわされた第１の位置（収納状態）を示し、（ｂ）は表示手段が縦長の向きである第２の位置での使用状態を示し、（ｃ）は表示手段が横長の向きである第３の位置での使用状態を示す。なお、図中、第１の実施の形態及び第２の実施の形態と同一の部分については、同一の符号を付し、説明を省略する。
【０１５７】
第２の筐体２０のディスプレイ２１と対向する面に、カメラ２ｂが配設されている。
【０１５８】
カメラ２ｂは、第１の位置においては第１の筐体１０によって覆われ（図１１（ａ）参照）、第２の位置及び第３の位置においては被写体の撮影が可能となるように露出する（図１１（ｂ）、（ｃ）参照）ようになっている。
【０１５９】
携帯機器１ｂは、第１の筐体１０と第２の筐体２０とが第１の位置、第２の位置又は第３の位置のどの位置にあるかを自動的に検出し、検出された結果に基づいて、以下に示すように、携帯機器１ａの動作モードの切り替え、使用可能な動作モードの制限を行う。
【０１６０】
第１の筐体１０と第２の筐体２０とが第１の位置にある場合には、待ち受けモード、通話モード、静止画再生モード（後で詳述）に制限された状態で携帯機器が動作され、十字ボタン２３を押すことにより、待ち受けモード、静止画再生モードの２個の動作モードが順番に切り替えられる。
【０１６１】
第１の筐体１０と第２の筐体２０とが第２の位置にある場合には、通話モード、メールモード、カメラモード（後で詳述）、静止画再生モード（後で詳述）に制限された状態で携帯機器が動作され、モードボタン１５を押すことにより、通話モード、メールモード、カメラモード、静止画再生モードの４個の動作モードが順番に切り替えられる。
【０１６２】
第１の筐体１０と第２の筐体２０とが第３の位置にある場合には、テレビモード、プレーヤーモード、カメラモード（後で詳述）、静止画再生モード（後で詳述）に制限された状態で携帯機器が動作され、モードボタン１５を押すことにより、テレビモード、プレーヤーモード、カメラモード、静止画再生モードの４個の動作モードが順番に切り替えられる。
【０１６３】
次にカメラモードにおける動作について説明する。
【０１６４】
カメラモードは、先述の通り、第２の位置及び第３の位置のみで動作されるように制限されており、携帯機器１ｂをカメラモードで動作させたままで、第２の位置から第３の位置へ、また第３の位置から第２の位置へ移動させることが可能である。
【０１６５】
第２の位置においては、図１２（ｂ）に示すように、縦長の画像を撮影する縦撮影モードとなり、ディスプレイ２１に縦長の被写体像と、撮影情報（ストロボモードや撮影モード、画素数、残り撮影枚数等）が表示される。
【０１６６】
第３の位置においては、図１２（ｃ）に示すように、横長の画像を撮影する横撮影モードとなり、ディスプレイ２１に横長の被写体像と、撮影情報（ストロボモードや撮影モード、画素数、残り撮影枚数等）が表示される。
【０１６７】
ディスプレイ２１に表示された被写体像は、十字ボタン２３又はモードボタン１５を押すことによりメモリ４２に保存されるが、保存された画像には、画像が縦撮りであるか、横撮りであるかを示す撮影姿勢情報と、撮影情報とが添付されており、静止画再生モードにおいて、画像に添付された情報がその画像と共に読み出せるようになっている。
【０１６８】
次に、静止画再生モードについて説明する。
【０１６９】
静止画再生モードは複数の位置で駆動可能な動作モードであるため、携帯機器１ｂを静止画再生モードで駆動した状態を保ったまま、第１の筐体１０と第２の筐体２０との位置関係を変えることが可能である。
【０１７０】
図１３は、検出された第１の筐体１０と第２の筐体２０との位置関係に基づいて、画像の表示方向を変える処理の流れを示すフローチャートである。
【０１７１】
再生する画像が選択される（ステップＳ２２）と、選択された画像と、添付されている画像姿勢情報と撮影情報とが、メモリ４２から読み出される（ステップＳ２４）。なお、再生モードが選択された場合等操作者によって再生する画像が選択されていない場合には、最後に撮影した画像、最後に再生した画像といった、あらかじめ決められたルールにより所定の画像が選択される。
【０１７２】
第１の筐体１０と第２の筐体２０とが、第１の位置にあるかどうかが判断される（ステップＳ２６）。
【０１７３】
第１の筐体１０と第２の筐体２０とが、第１の位置にあると判断された場合には、図１４（ａ）、（ｂ）に示すように、画像姿勢情報に関わらず、画像の縦横比とディスプレイ２１の縦横比とを合わせて表示する。（ステップＳ２８）。第１の位置にある場合には、携帯機器１ｂを持ち変えることなく、簡単に横向きにすることが出来る。よって、横長の画像の場合においても、図１４（ｂ）に示すように、携帯機器１ｂを横向きにして鑑賞することで、簡単に正立した画像を見ることができる。
【０１７４】
第１の筐体１０と第２の筐体２０とが、第１の位置にないと判断された場合には、第１の筐体１０と第２の筐体２０とが、第２の位置にあるかどうかが判断される（ステップＳ３０）。
【０１７５】
第１の筐体１０と第２の筐体２０とが、第２の位置にあると判断された場合には、図１５（ａ）、（ｂ）に示すように、画像姿勢情報に関わらず、画像の縦横比とディスプレイ２１の縦横比とを合わせて表示する（ステップＳ２８）。第２の位置にある場合には、携帯機器１ｂを持ち変えることなく、簡単に横向きにすることが出来る。よって、横長の画像の場合においても、図１５（ｂ）に示すように、携帯機器１ｂを横向きにして鑑賞することで、簡単に正立した画像を見ることができる。
【０１７６】
第１の筐体１０と第２の筐体２０とが、第２の位置にないと判断された場合には、第１の筐体１０と第２の筐体２０とが、第３の位置にあるかどうかが判断される（ステップＳ３２）。
【０１７７】
第１の筐体１０と第２の筐体２０とが、第３の位置にないと判断された場合には、第１の筐体１０と第２の筐体２０とが移動中であると判断し、ステップＳ２６へ戻り、再度第１の筐体１０と第２の筐体２０とが、第１の位置にあるかどうかが判断される。
【０１７８】
第１の筐体１０と第２の筐体２０とが、第３の位置にあると判断された場合には、画像に添付されている画像姿勢情報に基づいて、その画像が横撮りの画像であるかどうかが判断される（ステップＳ３４）。
【０１７９】
横撮りの画像であると判断された場合には、図１６（ｂ）に示すように、画像姿勢情報に関わらず、画像の縦横比とディスプレイ２１の縦横比とを合わせて表示する。（ステップＳ２８）。
【０１８０】
横撮りの画像でないと判断された場合には、図１６（ａ）に示すように、ディスプレイ２１の左右部に所定の幅の空白部分を作成し、ディスプレイ２１の中央部に縦長の画像を正立した状態で表示させる（ステップＳ３６）。
【０１８１】
第３の位置においては、携帯機器１ｂを横向きにすることが形状的に難しいため、これにより簡単に正立した画像を見ることができる。
【０１８２】
これにより、第１の位置、第２の位置及び第３の位置において、簡単に正立した画像を見ることができる。
【０１８３】
本実施の形態によれば、第２の筐体が第１の位置にある場合には第１の筐体によって撮影レンズが覆われるため、撮影レンズが保護されるが、第２の筐体が第２の位置及び第３の位置にある場合には撮影レンズが露出され、被写体が撮影できるようにしたため、縦撮りを行う第２の位置と、横撮りを行う第３の位置との間で第２の筐体を動かすことにより、縦撮りか、横撮りかを片手で容易に切り替えることができる。
【０１８４】
また、縦撮りを行う第２の位置と横撮りを行う第３の位置とを容易に切り替えることができるため、機器を保持したまま、機器を回転させること無く縦撮り・横撮りが可能となる。
【０１８５】
また、第２の位置では縦撮りにより、第３の位置で横撮りにより撮影された画像に、縦撮りの画像であるか又は横撮りの画像であるかを示す撮影姿勢情報が添付されるため、再生時にその情報を用いることによって視認性をあげることができる。
【０１８６】
また、第１の筐体と第２の筐体との位置関係と、再生する画像に添付された撮像された画像が縦撮りの画像であるか又は横撮りの画像であるかを示す撮影姿勢情報とに基づいて、表示手段の画面上で画像が正立するように、画像を表示手段に表示させることにより、撮影された画像の向きと、表示手段の向きによって表示される画像の方向が自動的に変更されるため、携帯機器の操作性を良くすることができる。
【０１８７】
なお、本実施の形態では、画像に添付された画像姿勢情報に基づいて画像を表示する向きを変えたが、画像姿勢情報がない場合においても、再生時に画像認識を行ない、その場で縦長の画像であるか横長の画像であるかの判別を行うことにより、画像を表示する向きを変えることが可能である。
【０１８８】
また、本実施の形態では、第１の位置及び第２の位置において、画像の縦横比とディスプレイ２１の縦横比とを合わせて表示したが、第２の位置の場合は、第１の位置の場合と比較すると携帯機器の向きを変えにくいため、第２の位置においても、画像姿勢情報に基づいて常に画像が正立して表示されるように画像を回転させて表示させてもよい。なお、横長の画像を表示する場合には、ディスプレイの上下部に所定の空白部分を作成し、ディスプレイの中央部に横長の画像を表示させればよい。
【図面の簡単な説明】
【０１８９】
【図１】本発明が適用された携帯機器の第１の実施の形態の外観図であり、（ａ）は第１の筐体と第２の筐体とのシルエットが重ねあわされた収納状態を示し、（ｂ）は表示手段が縦長の向きである第２の位置での使用状態を示し、（ｃ）は表示手段が横長の向きである第３の位置での使用状態を示す。
【図２】上記携帯機器の第１の実施の形態の外観図である。
【図３】上記携帯機器の第１の実施の形態の第２の筐体２０の要部内容物を透視した斜視図である。
【図４】上記携帯機器の第１の実施の形態の第１の筐体１０の要部内容物を透視した斜視図である。
【図５】上記携帯機器の第１の実施の形態の断面図であり、（ａ）は第１の筐体と第２の筐体とのシルエットが重ねあわされた第１の位置を示し、（ａ）’は第２の筐体が第１の位置から平行に移動され、第２の位置へ移動させている状態を示し、（ｂ）は第２の筐体が第１の位置から平行に移動された第２の位置での状態を示す。
【図６】上記携帯機器の第１の実施の形態の内部構成の一例を示すブロック図である。
【図７】上記携帯機器の第１の実施の形態の連結部３０を透視した透視図であり、（ａ）は第１の筐体と第２の筐体とのシルエットが重ねあわされた第１の位置を示し、（ｂ）は第２の筐体が第１の位置から平行に移動された第２の位置での状態を示し、（ｃ）は第２の筐体が第１の位置から回転移動された第３の位置での状態を示す。
【図８】上記携帯機器の第１の実施の形態の使用方法を説明するための説明図であり、（ａ）は第１の筐体と第２の筐体とのシルエットが重ねあわされた収納状態を示し、（ｂ）は表示手段が縦長の向きである第２の位置での使用状態を示し、（ｃ）は表示手段が横長の向きである第３の位置での使用状態を示す。
【図９】上記携帯機器の第１の実施の形態の第１の筐体１０と第２の筐体２０の位置関係を検出する場合における処理の流れを示すフローチャートである。
【図１０】本発明が適用された携帯機器の第２の実施の形態の外観図であり、（ａ）は第１の筐体と第２の筐体とのシルエットが重ねあわされた収納状態を示し、（ｂ）は表示手段が縦長の向きである第２の位置での使用状態を示し、（ｃ）は表示手段が横長の向きである第３の位置での使用状態を示す。
【図１１】本発明が適用された携帯機器の第３の実施の形態の外観図であり、（ａ）は第１の筐体と第２の筐体とのシルエットが重ねあわされた収納状態を示し、（ｂ）は表示手段が縦長の向きである第２の位置での使用状態を示し、（ｃ）は表示手段が横長の向きである第３の位置での使用状態を示す。
【図１２】上記携帯機器の第３の実施の形態の外観図であり、（ｂ）は表示手段が縦長の向きである第２の位置での使用状態を示し、（ｃ）は表示手段が横長の向きである第３の位置での使用状態を示す。
【図１３】上記携帯機器の第３の実施の形態の静止画表示モードにおける処理の流れを示すフローチャートである。
【図１４】上記携帯機器の第３の実施の形態の第１の位置における静止画表示モードでのディスプレイ表示例である。
【図１５】上記携帯機器の第３の実施の形態の第２の位置における静止画表示モードでのディスプレイ表示例である。
【図１６】上記携帯機器の第３の実施の形態の第３の位置における静止画表示モードでのディスプレイ表示例である。
【符号の説明】
【０１９０】
１、１ａ、１ｂ…携帯機器、１、１ａ、１ｂ…カメラ、１０…第１の筐体、１１…マイク、１２…ダイヤルキー、１３…通話ボタン、１４…終話ボタン、１５…モードボタン、１６…テレビ用操作部、１７…音量ボタン、２０…第２の筐体、２１…ディスプレイ、２２…スピーカー、２３…十字ボタン、２４…第２通話ボタン、２５…第２終話ボタン、３０…連結部、３１…かぎ穴状スリット、３２…丸穴、３３…キー、３４…抜け止めキャップ、３５−１、３５−２…ロックピン、３６…検出スイッチ、３７…バネ
【図１】
2008092176.tif 000003
【図２】
2008092176.tif 000004
【図３】
2008092176.tif 000005
【図４】
2008092176.tif 000006
【図５】
2008092176.tif 000007
【図６】
2008092176.tif 000008
【図７】
2008092176.tif 000009
【図８】
2008092176.tif 000010
【図９】
2008092176.tif 000011
【図１０】
2008092176.tif 000012
【図１１】
2008092176.tif 000013
【図１２】
2008092176.tif 000014
【図１３】
2008092176.tif 000015
【図１４】
2008092176.tif 000016
【図１５】
2008092176.tif 000017
【図１６】
2008092176.tif 000018